(57)【要約】【課題】タイレクトプリント可能なプリンタの使い勝手を向上させる。【解決手段】スキャナ搭載のプリンタとし、インデックスプリントの際に、サイズ指定や枚数などの情報をマークするためのマークシートを印刷する。使用者がそこにマークしてプリンタに読み込ませることにより、希望通りの写真印刷が可能となる。【選択図】　　　　図１
2004034584.tif 000002
【特許請求の範囲】
【請求項１】
被記録材に記録を行うための記録手段と、
画像読取手段と、
データ記録媒体に記録された画像データを読み取るためのデータ記録媒体読取手段と、
を備え、
記録動作の前に画像読取手段により記録動作指示を読み取って、記録動作指示通りに記録動作することを特徴とする入出力装置。
【請求項２】
データ記録媒体読取手段より読み取った画像データを元に画像一覧表示記録を行うための画像領域と
入出力装置の記録動作制御を指示する指示領域とを備え、
該画像領域及び該指示領域は、請求項１に記載の入出力装置によって記録されることを特徴とする記録動作指示手段。
【請求項３】
請求項１の入出力装置において、
画像読取手段は記録手段と着脱交換可能なスキャナヘッドであることを特徴とする入出力装置。
【請求項４】
請求項１の入出力装置において、
画像読取手段は記録手段の動作と連動するスキャナであることを特徴とする入出力装置。
【請求項５】
請求項１の入出力装置において、
画像読取手段はラインスキャナであることを特徴とする入出力装置。
【請求項６】
請求項１、３〜５の入出力装置において、
画像読取手段はカラー情報を読み込むことが可能なカラースキャナであることを特徴とする入出力装置。
【請求項７】
請求項１、３〜６に記載の入出力装置において、大容量のデータ記憶手段を備えていることを特徴とする入出力装置。
【請求項８】
請求項１、３〜７に記載の入出力装置において、記録手段は電気熱変換体を備え、該電気熱変換体の発生する熱エネルギーによりインク吐出口からインクを吐出する記録ヘッドであることを特徴とする入出力装置。
【発明の詳細な説明】
【０００１】
【発明の属する技術分野】
本発明は、記録装置に画像読み取り手段を備えた入出力装置に関する。
【０００２】
【従来の技術】
プリンタ、複写機、ファクシミリ等の機能を有する記録装置、あるいはコンピュータやワードプロセッサ等を含む複合機やワークステーションの出力機器として用いられる記録装置は、画像情報に基づいて用紙やプラスチック薄板（ＯＨＰ類）等の被記録媒体に画像（文字や記号等も含む）を記録していくように構成されている。前記記録装置は、使用する記録手段の記録方式により、インクジェット式、ワイヤドット式、感熱式、熱転写式、レーザービーム式等に分けることができる。
【０００３】
これらの記録装置のうち、原稿を読み取ることが可能な画像読取装置を備えたものは入出力装置と呼ばれている。
【０００４】
入出力装置において、画像読取装置の接続形態は、記録装置一体型と、記録装置の装置構成部の一部を画像読取装置と交換する交換型とに分けられる。
【０００５】
前者の形態は、複写機やファクシミリに用いられ、後者の形態は、主にプリンタに用いられている。
【０００６】
記録装置、及び入出力装置は、デジタルカメラなどで撮影された画像データを用紙に記録する手段として用いられることがある。
【０００７】
従来は、図１３に示すように、記録装置１３１はパソコン１３２と接続されており、撮影した画像データは一度パソコン１３２に転送して、パソコン１３２から記録装置１３１へ画像データを送信し、用紙に画像を記録している。
【０００８】
記録装置や入出力装置の中には、デジタルカメラなどで撮影した画像データが記録されているデータ記録媒体を読み取ることが可能なデータ読取装置を備えているものがある。このような装置の場合には、画像データが記録されているデータ記録媒体から記録装置へデータを直接送信することが可能なため、パソコンを使わずとも、用紙への画像の記録を行うことが可能である。
【０００９】
また、パソコンにインストールされているソフトウェア及びデータ記録媒体読取装置を備えた記録装置あるいは入出力装置には、撮影された画像の一覧表示印刷をするインデックスプリント機能を備えたものがある。
【００１０】
【発明が解決しようとする課題】
従来の記録装置及び入出力装置においては、インデックスプリントをした後に、所望の画像を記録装置で記録するために、装置本体に備えられた操作キーやコンピュータによって記録枚数や出力画像の大きさを指示する必要がある。それらの指示方法は、使用する入出力装置によって様々であったため、操作ミスなどで所望の出力画像が得られないことがあった。
【００１１】
【課題を解決するための手段】
本発明は上記課題を解決するものであり、第１の発明は、被記録材に記録を行うための記録手段と、画像読取手段と、データ記録媒体に記録された画像データを読み取るためのデータ記録媒体読取手段とを備え、記録動作の前に画像読取手段により記録動作指示を読み取って、記録動作指示通りに記録動作することを特徴とする入出力装置を提供するものである。
【００１２】
この構成により、ソフトウェアや入出力装置への煩雑な印刷作業指示なしに所望の画像出力を得ることが可能になる。
【００１３】
第２の発明は、データ記録媒体読取手段より読み取った画像データを元に画像一覧表示記録を行うための画像領域と、入出力装置の記録動作制御を指示する指示領域とを備え、該画像領域及び該指示領域は、前記入出力装置によって記録されることを特徴とする記録動作指示手段を提供するものである。
【００１４】
この構成により、画像一覧表示を見ながら印刷したい画像に対して印刷枚数や印刷品位を容易に指定することが可能となる。
【００１５】
第３の発明は、前記入出力装置において、画像読取手段は記録手段と着脱交換可能なスキャナヘッドであることを特徴とする入出力装置を提供するものである。
【００１６】
第４の発明は、前記入出力装置において、画像読取手段は記録手段の動作と連動するスキャナであることを特徴とする入出力装置を提供するものである。
【００１７】
第５の発明は、前記入出力装置において、画像読取手段はラインスキャナであることを特徴とする入出力装置を提供するものである。
【００１８】
これらの構成により、画像読取手段で記録動作指示をより容易に読み取ることが可能になる。
【００１９】
第６の発明は、前記入出力装置において、画像読取手段はカラー情報を読み込むことが可能なカラースキャナであることを特徴とする入出力装置を提供するものである。
【００２０】
この構成により、画像読取手段においてより多くの記録動作指示を入出力装置に対して与えることが可能となる。
【００２１】
第７の発明は、前記入出力装置において、大容量のデータ記憶手段を備えていることを特徴とする入出力装置を提供するものである。
【００２２】
この構成により、一度インデックスプリントした出力結果を保存しておけば、そのインデックスプリント４５０に縮小記録された画像は、次回以降データ記録媒体を用意することなくインデックスプリント４５０を画像読取手段で読み込むだけで画像の記録を行うことが可能になる。
【００２３】
第８の発明は、前記入出力装置において、記録手段は電気熱変換体を備え、該電気熱変換体の発生する熱エネルギーによりインク吐出口からインクを吐出する記録ヘッドであることを特徴とする入出力装置を提供するものである。
【００２４】
【発明の実施の形態】
次に図面を参照して本発明に係る入出力装置の実施例について説明する。
【００２５】
（実施例１）
本実施例では記録手段にインクジェットを用いた、インクジェット入出力装置を用いて説明する。図１は本発明を用いたインクジェット入出力装置の概略構成を示す正面説明図、図２は同インクジェット入出力装置の側面説明図、図３は同インクジェット入出力装置の断面説明図、図４は本実施例における入出力装置で印刷したインデックスプリントの該略図、図５は本実施例における入出力装置の操作フローチャートである。
【００２６】
本実施例にあげたインクジェット入出力装置は、被記録材（以後、シートＰとする）給送装置一体型の入出力装置であり、シート給送装置１、送紙部２０、排紙部６０、記録部５０、クリーニング部４０等を装備している。以下、これらの構成について説明する。
【００２７】
シート給送装置１は図２、３に示すように３０゜〜６０゜の角度を持って装置本体に取り付けられており、セットされたシートＰは記録後略水平に排出されるように構成されている。シート給送装置１には、図２に示すように、給送ローラ２、分離爪３、可動サイドガイド４、ベース５、圧板６、圧板ばね７、駆動ギヤ（入力ギヤ８ａ、アイドラギヤ８ｂ、８ｃ、給送ローラギヤ８ｄ）、リリースカムギヤ９、爪ばね１０、欠歯ギヤ１１、リリースカム１２等を装備している。上記リリースカムギヤ９は、圧板６を図３に示す位置まで押し下げているので、シートＰは給送ローラ２より離れている。
【００２８】
シートＰがセットされた状態で、後述する送紙ローラ２１の駆動を駆動ギヤ８ａ〜８ｄにより給送ローラ２及びリリースカムギヤ９に伝達する。このリリースカムギヤ９が圧板６より離れると、該圧板６が図６に示す位置まで上昇し、給送ローラ２とシートＰが接し、給送ローラ２の回転に伴いピックアップされ、分離爪３により１枚ずつ分離される。分離されたシートＰは後述する送紙部２０へ送られる。給送ローラ２とリリースカムギヤ９は、シートＰを送紙部２０へ送り込むまで一回転し、再び圧板６を給送ローラ２に対してリリースした状態で給送ローラ２から駆動が切られ、このイニシャル状態を保持する。
【００２９】
送紙部２０は、図５に示すように、送紙ローラ２１、ピンチローラ２２、ピンチローラホルダ２３、ピンチローラばね２４、ＰＥセンサレバー１８、ＰＥセンサ１９、ＰＥセンサばね２０、上ガイド２５、プラテン２６等を装備している。上記送紙部２０に送られたシートＰは、プラテン２６と上ガイド２５、ピンチローラホルダ２３にガイドされて、送紙ローラ２１とピンチローラ２２とのニップ部に送られる。このローラ対１４、１５のシート搬送方向上流側には不図示のＰＥセンサレバーが上ガイド２５に回転可能に設けられており、シートＰ先端を検出している。これがシートＰの記録開始位置を定める基準となる。上記ピンチローラ２２は、ピンチローラホルダ２３をピンチローラばね２４により付勢することで、送紙ローラ２１に押圧されており、該送紙ローラ２１の回転に従動回転してシートＰの搬送力を生み出している。上記送紙ローラ２１及びピンチローラ２２間に搬送されたシートＰは、ＬＦモータ２７を駆動することにより、送紙ローラ２１及びピンチローラ２２を回転させてプラテン２６上を記録開始位置まで所定量搬送される。
【００３０】
このようにして記録開始位置まで送り込んだシートＰに、記録ヘッド５１により所定の画像情報に基づいた記録を行うように構成されている。
【００３１】
記録ヘッド５１は送紙ローラ２１及びピンチローラ２２により搬送されたシートＰにインクによる文字画像を記録するものである。この装置における記録手段としては、記録ヘッド５１からインクを吐出して記録するインクジェット記録方式を用いている。即ち、この記録ヘッド５１は微細な液体吐出口（オリフィス）、液路及びこの液路の一部に設けられるエネルギー作用部と、該作用部にある液体に作用させる液滴形成エネルギーを発生するエネルギー発生手段を備えている。
【００３２】
記録部５０は、図１〜３に示すように記録ヘッド５１を取り付けるキャリッジ５２と、該キャリッジ５２をシートＰ搬送方向と直角方向に往復走査させるためのガイド軸５３７と、上記キャリッジ５１の後端を保持し、記録ヘッド５１とシートＰ間の距離を維持するガイド５４、キャリッジモータ５５の駆動をキャリッジ５１に伝達するタイミングベルト５６、該タイミングベルト５６を張設するアイドルプーリ５７、記録ヘッド５１へ電気基板からのヘッド駆動信号を伝達するためのフレキシブル基板５８等を装備している。前記記録ヘッド５１はインクタンクが交換可能に構成され、着脱可能な記録ヘッドであり、キャリッジ５２と一体となって走査されることにより、プラテン２６上を搬送されるシートＰにインクによる文字画像を記録する。
【００３３】
クリーニング部４０は、図１に示すように、記録ヘッド５１のクリーニングを行う不図示のポンプと、記録ヘッド５１の乾燥を抑えるための不図示のキャップ、及び送紙ローラ２１からの駆動をシート給送装置１及びポンプに切り換える駆動切り換えアーム４１等を装備している。
【００３４】
排紙部６０は、図２、３に示すように、排紙ローラ６１と該排紙ローラ６１に送紙ローラ２１の駆動を伝達する伝達ローラ６２、シートＰの排出を補助する拍車６３、拍車６３に付着したインクを吸収するための拍車クリーナ３７を装備しており、上記排紙ローラ６１及び拍車６３により記録後のシート記録面を汚すことなく排紙する。
【００３５】
排紙部６０において、排紙ローラ６１は一本の軸で構成されており、その駆動は送紙部２０の送紙ローラ２１から伝達ローラ６２を通して得ている。伝達ローラ６２は、不図示の弾性軸によって排紙ローラ６１の駆動力被伝達部に圧接されている。
【００３６】
本実施例における入出力装置においては、キャリッジ５２に画像読取用のスキャナ７１０が備えられている。スキャナ７１は、２値の画像を読み取ることが可能なモノクロスキャナである。
【００３７】
また、データ記録媒体８１に記録された画像データを読み取るためのデータ記録媒体読取装置８２を備えている。
【００３８】
本実施例におけるインクジェット入出力装置１は、画像データが記録されているデータ記録媒体８１をデータ記録媒体読取装置８２で読み取ることにより、画像一覧表示付き記録動作指示シート４００（以下、インデックスプリント）を印刷することが可能になっている。
【００３９】
図４は、本実施例における入出力装置で印刷したインデックスプリント４００の該略図である。インデックスプリント４００に記録される内容は、画像データが記録されているデータ記録媒体の略画像（縮小画像）４０１と、入出力装置に動作指示するためのマークシート形状部４０２である。
【００４０】
マークシート形状部４０２による記録動作指示内容としては、本実施例の場合、印刷枚数、印刷品位、大きさに限定した。それ以上選択肢を増やしてしまうと、かえって選択が煩雑になることが考えられるためである。
【００４１】
図５に、本実施例における入出力装置の操作フローチャートを記した。
【００４２】
最初に、撮影した画像データが記録されているデータ記録媒体８１を入出力装置のデータ記録媒体読取装置８２にセットする。（Ｓ５０１）次に、インデックスプリント４００を印刷するためのシートＰを、シート給送装置１にセットする（Ｓ５０２）。次に、画像インデックス４０１と記録動作指示用マークシート形状部４０２をシートＰに印刷する（Ｓ５０３）。印刷されたインデックスプリント４００を見ながら、印刷したい画像を選択して印刷したい枚数を記入し、印刷品位、大きさを決定したらその画像の縮小画像の下に印刷されたマークシート形状部４０２の該当個所を塗りつぶす（Ｓ５０４）。
【００４３】
次に、選択、マーキングが終了したインデックスプリント４００を、再度、入出力装置のシート給送装置１にセットし（Ｓ５０５）、画像読取手段であるスキャナ７１で読み込む（Ｓ５０６）。読み取ったマーキング情報を元に、入出力装置内部で印刷枚数や印刷品位を設定し、指定の画像をデータ記録媒体８１から読み取り印刷を行う（Ｓ５０７）。
【００４４】
本実施例においては、画像読取手段であるスキャナ７１はキャリッジ５２の往復動作を利用したシリアルスキャナであるため、インデックスプリント４００の全面を読み取ると読み取り時間が長くなってしまう。したがって、マーキングされた領域のみを選択的に読み込む制御を備えている。
【００４５】
（実施例２）
次に、第２の実施例の形態について説明する。図６は、本実施例におけるインクジェット入出力装置の概略構成を示す正面説明図、図７は同インクジェット入出力装置の側面説明図、図８は入出力装置の操作フローチャートである。図中において、実施例１と同一構成の部分には同一の符号を記した。
【００４６】
本実施例においては、図６、７に示すように、画像読取手段はキャリッジ５２に備えられた形態ではなく、記録ヘッド５１と着脱交換可能なスキャナヘッド７２で構成されている。その他の構成は、実施例１と同一である。
【００４７】
図８に、本実施例における入出力装置の操作フローチャートを示した。
【００４８】
最初に、撮影した画像データが記録されているデータ記録媒体８１を入出力装置のデータ記録媒体読取装置８２にセットする。（Ｓ８０１）次に、インデックスプリント４００を印刷するためのシートＰを、シート給送装置１にセットする（Ｓ８０２）。次に、キャリッジ５２に記録ヘッド５１が装着されているかどうか確認し（Ｓ８０３）、もし記録ヘッド５１が装着されていない場合には、キャリッジ５２に記録ヘッド５１を装着する（Ｓ８０４）。次に、画像インデックス４０１と記録動作指示用マークシート形状部４０２をシートＰに印刷する（Ｓ８０５）。印刷されたインデックスプリント４００を見ながら、印刷したい画像を選択して印刷したい枚数を記入し、印刷品位、大きさを決定したらその画像の縮小画像の下に印刷されたマークシート形状部４０２の該当個所を塗りつぶす（Ｓ８０６）。
【００４９】
次に、選択、マーキングが終了したインデックスプリント４００を、再度、入出力装置のシート給送装置１にセットする（Ｓ８０７）。ここで、キャリッジ５２に装着された記録ヘッド５１を取り外し、スキャナヘッド７２を装着し（Ｓ８０８）、画像読取手段であるスキャナ７２でインデックスプリント４００を読み込む（Ｓ８０９）。読み込みが終了したら、キャリッジ５２からスキャナヘッド７２を取り外し、記録ヘッド５１を取り付け（Ｓ８１０）、読み取ったマーキング情報を元に、入出力装置内部で印刷枚数や印刷品位を設定し、指定の画像をデータ記録媒体８１から読み取り印刷を行う（Ｓ８１１）。
【００５０】
この構成を採用することで、実施例１の構成と比較して入出力装置の本体幅を小さくできるだけではなく、入出力装置自体の低価格化も実現可能となる。
【００５１】
また、スキャナヘッド７２をカラースキャナとすることで、高精細な画像読取装置として機能させることも可能になり、入出力装置の発展性も期待できる。
【００５２】
更に、カラースキャナを採用することで、マークシート以外の領域でも記録動作指示をすることが可能になり、記録動作指示内容が豊富になる。
【００５３】
例えば、インデックスプリント４００に記録された略画像（縮小画像）４０１の一部を赤で囲むと、囲んだ領域のみを選択して印刷する、あるいは略画像（縮小画像）４０１の一部を青で囲むと、囲んだ領域の中を除いた領域のみを選択して印刷する、などという記録動作指示が可能になる。
【００５４】
（実施例３）
つぎに、第３の実施例の形態について説明する。図９は同インクジェット入出力装置の断面説明図、図１０は本実施例における入出力装置で印刷したインデックスプリントの該略図である。図中において、実施例１と同一構成の部分には同一の符号を記した。
【００５５】
本実施例においては、実施例１のモノクロスキャナ部にカラースキャナを装備した形態とし、また、キャリッジ５２と一体的に動作するシリアルタイプのスキャナではなく、図９に示すように、ラインスキャナ７３で構成した。その他の構成は、実施例１と同一である。この構成によると、図１０に示したインデックスプリント４５０をスキャナで読み込む時間が大幅に短縮されることになる。
【００５６】
また、本実施例における入出力装置は、内部に大容量のデータ記憶手段８３（例えばハードディスクなど）を備えており、インデックスプリント４５０を印刷している間に、画像データ記録媒体８１から、インデックスプリントの印刷に使用した画像データを複写して記録することが可能になっている。
【００５７】
図１０に示すように、インデックスプリント４５０を印刷するときに、画像データが記録されているデータ記録媒体の略画像（縮小画像）４５１と、入出力装置に動作指示するためのマークシート形状部４５２のほかに、インデックスプリント出力結果の一部に、内部のデータ記憶手段８３のどこに元の画像データが存在するかという情報４５３も記録されている。
【００５８】
図１１に、インデックスプリント４５０を印刷し、所望の画像を印刷する際のする時のフローチャートを示した。
【００５９】
最初に、撮影した画像データが記録されているデータ記録媒体８１を入出力装置のデータ記録媒体読取装置８２にセットする。（Ｓ１１０１）。次に、インデックスプリント４５０を印刷するためのシートＰを、シート給送装置１にセットする（Ｓ１１０２）。次に、画像インデックス４５１と記録動作指示用マークシート形状部４５２と入出力装置内部に備えられたデータ記憶手段に対する記憶場所４５３をシートＰに印刷する（Ｓ１１０３）。印刷が行われている間に、データ記録媒体８１から入出力装置内部に備えられたデータ記憶手段８３に、画像データを複写する（Ｓ１１０４）。印刷されたインデックスプリント４５０を見ながら、印刷したい画像を選択して印刷したい枚数を記入し、印刷品位、大きさを決定したらその画像の縮小画像の下に印刷されたマークシート形状部４５２の該当個所を塗りつぶす（Ｓ１１０５）。
【００６０】
次に、選択、マーキングが終了したインデックスプリント４５０を、再度、入出力装置のシート給送装置１にセットし（Ｓ１１０６）、マークシート形状部４５２及び、データ記憶手段８３に対するデータ記憶場所４５３の情報を、画像読取手段であるスキャナ７１で読み込む（Ｓ１１０７）。読み取ったマーキング情報を元に、入出力装置のデータ記憶手段８３から所定の画像データを読み取り（Ｓ１１０８）、入出力装置内部で印刷枚数や印刷品位を設定し、印刷を行う（Ｓ１１０９）。
【００６１】
また、図１２に、印刷済のインデックスプリントを用いて所望の画像を印刷する際のする時のフローチャートを示した。
【００６２】
最初に、印刷済のインデックスプリント４５０をシート給送装置１にセットする（Ｓ１２０１）。次に、マークシート形状部４５２及び、データ記憶手段８３に対するデータ記憶場所４５３の情報を、画像読取手段であるスキャナ７１で読み込む（Ｓ１２０２）。読み取ったマーキング情報を元に、入出力装置のデータ記憶手段８３から所定の画像データを読み取り（Ｓ１２０３）、入出力装置内部で印刷枚数や印刷品位を設定し、印刷を行う（Ｓ１２０４）。
【００６３】
以上説明したように、本実施例に構成によると、一度インデックスプリントした出力結果を保存しておけば、そのインデックスプリント４５０に縮小記録された画像は、次回以降データ記録媒体８１を用意することなく、インデックスプリント４５０を画像読取手段であるラインスキャナ７３で読み込むだけで画像の記録を行うことが可能になる。
【００６４】
【発明の効果】
以上説明したように、本発明における第１の発明によると、ソフトウェアや入出力装置への煩雑な印刷作業指示なしに所望の画像出力を得ることが可能になる。また、第２の発明によると、画像一覧表示を見ながら印刷したい画像に対して印刷枚数や印刷品位を容易に指定することが可能となる。更に、第７の発明によると、前記入出力装置において、大容量のデータ記憶手段を備えていることを特徴とする入出力装置を提供するものである。
【００６５】
この構成により、一度インデックスプリントした出力結果を保存しておけば、そのインデックスプリント４５０に縮小記録された画像は、次回以降データ記録媒体を用意することなくインデックスプリント４５０を画像読取手段で読み込むだけで画像の記録を行うことが可能になる。
【図面の簡単な説明】
【図１】第１の実施例におけるインクジェット入出力装置の概略構成を示す正面説明図。
【図２】同インクジェット入出力装置の側面説明図。
【図３】同インクジェット入出力装置の断面説明図。
【図４】同インクジェット入出力装置で印刷したインデックスプリントの該略図。
【図５】同インクジェット入出力装置の操作フローチャート。
【図６】第２の実施例におけるインクジェット入出力装置の概略構成を示す正面説明図。
【図７】同インクジェット入出力装置の側面説明図。
【図８】同インクジェット入出力装置の操作フローチャート。
【図９】第２の実施例におけるインクジェット入出力装置の概略構成を示す断面説明図。
【図１０】同インクジェット入出力装置で印刷したインデックスプリントの該略図。
【図１１】同インクジェット入出力装置の操作フローチャート。
【図１２】同インクジェット入出力装置の操作フローチャート。
【図１３】従来の記録装置の構成図。
【符号の説明】
Ｐ　シート
１　シート給送装置
２０　送紙部
２１　送紙ローラ
２２　ピンチローラ
２３　ピンチローラホルダ
２４　ピンチローラばね
２５　上ガイド
２６　プラテン
２７　ＬＦモータ
２８　剛部
２９　柔部
３０　リブ
３１　規制面
４０　クリーニング部
５０　記録部
５１　記録ヘッド
６０　排紙部
６１　排紙ローラ
６２　伝達ローラ
６３　拍車
６４　弾性軸
６９　拍車ステー
７１　スキャナ
７２　スキャナヘッド
７３　ラインスキャナ
８１　データ記録媒体
８２　データ記録媒体読取装置８２
８３　データ記憶手段
【図１】
2004034584.tif 000003
【図２】
2004034584.tif 000004
【図３】
2004034584.tif 000005
【図４】
2004034584.tif 000006
【図５】
2004034584.tif 000007
【図６】
2004034584.tif 000008
【図７】
2004034584.tif 000009
【図８】
2004034584.tif 000010
【図９】
2004034584.tif 000011
【図１０】
2004034584.tif 000012
【図１１】
2004034584.tif 000013
【図１２】
2004034584.tif 000014
【図１３】
2004034584.tif 000015